(57)【要約】      （修正有）【課題】おたましゃくしを保持させたときの自立保持性が高く、部品点数が少ないおたましゃくしの自立保持具を提供する。【解決手段】磁性金属からなるおたましゃくし４の碗部下面を磁着保持するために、中央上面に少なくとも１つの磁石３が埋設された皿２からなる。【選択図】図１（ａ）
0003135168.tif 000002
【実用新案登録請求の範囲】
【請求項１】
磁性金属からなるおたましゃくしの碗部を磁着保持するために、中央上面に少なくとも１つの磁石が埋設された皿からなる、おたましゃくしを自立して保持するためのおたましゃくしの自立保持具。
【請求項２】
前記皿の上面に、おたましゃくしの碗部下面を支持するために、磁石を埋設した突起が少なくとも１つ設けられた請求項１記載のおたましゃくしの自立保持具。
【請求項３】
前記皿の底部に、皿の転倒を防止するための錘が設けられた請求項１または２記載のおたましゃくしの自立保持具。
【請求項４】
前記皿の底部に、皿の転倒を防止するための粘着シートまたは吸盤が設けられた請求項１または２記載のおたましゃくしの自立保持具。
【考案の詳細な説明】
【技術分野】
【０００１】
本考案は、おたましゃくしの自立保持具に関する。さらに詳しくは、磁性金属からなるおたましゃくしの碗部下面を磁着保持するために、中央上面に少なくとも１つの磁石が埋設された皿からなる、おたましゃくしを自立して保持するためのおたましゃくしの自立保持具に関する。
【背景技術】
【０００２】
たとえば、特許文献１には、鍋蓋のつまみの横に、おたましゃくしを横から差し込むことにより固定できる金具を設置した、金具付き鍋蓋の技術が開示されている。
【０００３】
また、特許文献２には、鍋蓋の一部に設けられた溝により、おたましゃくしを立てかけることができる凹溝付き鍋蓋の技術が開示されている。
【０００４】
また、特許文献３には、収納皿部と立てかけ部からなり、おたましゃくしを立てかけることができ、またそれらの部位が脱着自在のおたましゃくしスタンドの技術が開示されている。
【０００５】
【特許文献１】実開平２−４５２５号公報
【特許文献２】実開平６−７５３２８号公報
【特許文献３】特開平５−１７６８５０号公報
【考案の開示】
【考案が解決しようとする課題】
【０００６】
しかし、上記特許文献１の技術では、おたましゃくしを金具に差し込む構成であり固定を安定的に維持できず、またおたましゃくしの重量によっては鍋蓋が開いてしまうという問題がある。
【０００７】
また、上記特許文献２の技術では、鍋蓋を開けるときに、その都度おたましゃくしを別の場所に移動させる必要がある、また、おたましゃくしが横向きに保持されることから、多くのスペースを占有するという問題がある。
【０００８】
また、上記特許文献３の技術では、おたましゃくしの固定に、立てかけ部が必要であることから、部品点数が多く必要であり、また長期間の使用により収納皿部と立てかけ部の接続が弱くなるという問題がある。
【０００９】
本考案は、上記従来の問題に鑑みてなされたものであり、おたましゃくしを磁着保持させたときの自立保持性が高く、部品点数が少ないおたましゃくしの自立保持具を提供することを目的としている。
【課題を解決するための手段】
【００１０】
本考案にかかわるおたましゃくしの自立保持具は、磁性金属からなるおたましゃくしの碗部下面を磁着保持するために、中央上面に少なくとも１つの磁石が埋設された皿からなることを特徴としている。
【００１１】
なお、前記磁石は、おたましゃくしを磁着させた際におたましゃくしが皿ごと転倒することを防止するための錘を兼ねることもできる。
【００１２】
また、前記皿の上面に、磁石を埋設した突起を１個または２個以上設けることにより、該突起におたましゃくしの碗部下面が磁着される。さらに後述の図２（ｂ）に示されるように突起を３個にすると、より安定に磁着することができる。
【００１３】
また、前記皿の底部に錘を設けることにより、皿に充分な重量を持たせることができる。また、前記皿の底部に保持部を設けることにより、皿と皿の設置面を保持することができる。その結果、おたましゃくしを磁着させた際に、皿ごと転倒すること防止することができる。該保持部としては粘着シートや吸盤を用いることができる。
【考案の効果】
【００１４】
本考案のおたましゃくしの自立保持具は、皿に磁石が埋設されており、これにより、磁性金属からなるおたましゃくしの碗部下面を磁着し、自立させることが可能である。
【考案を実施するための最良の形態】
【００１５】
本考案のおたましゃくしの自立保持具は、磁性金属からなるおたましゃくしの碗部下面を磁着保持するために、中央上面に少なくとも１つの磁石が埋設されている。
【００１６】
本考案におけるおたましゃくしは、味噌汁などの汁類や野菜の煮物などを掬うための碗部を有する杓子である。
【００１７】
つぎに、添付図面を参照して、本考案を詳細に説明する。
【００１８】
図１（ａ）は、本考案のおたましゃくしの自立保持具１ａにおたましゃくし４を磁着させた状態を説明するための斜視図であり、図１（ｂ）は、本考案のおたましゃくしの自立保持具１ａの側面図、図２（ａ）は、本考案のおたましゃくしの自立保持具１ｂにおたましゃくし４を磁着させた状態を説明するための斜視図、図２（ｂ）は、本考案のおたましゃくしの自立保持具１ｂの側面図、図３（ａ）は、本考案のおたましゃくしの自立保持具１ｃの斜視図、図３（ｂ）は、本考案のおたましゃくしの自立保持具１ｄの斜視図、図４（ａ）は、本考案の自立保持具１ａにおたましゃくし４を磁着させた状態の力のモーメントを説明するための側面図、図４（ｂ）は、本考案のおたましゃくしの自立保持具１ｅの側面図である。
【００１９】
実施の形態１
実施の形態１のおたましゃくしの自立保持具１ａは、図１（ａ）、図１（ｂ）に示されるように、皿２の中央上面に磁石３が埋設されており、おたましゃくし４が自立保持されている。
【００２０】
本考案におけるおたましゃくしの自立保持具１ａ〜１ｆは、通常の調理で取りうる温度（例えば約１００℃）で、おたましゃくし４を磁着させても変形しないような耐熱性を有しており、その耐熱性素材として、種々の素材があげられるが、成型が容易である観点から、例えばＡＢＳ樹脂、ポリプロピレン、ポリエチレン、ポリスチレン、ナイロン、ポリエチレンテレフタラート、ポリフェニレンエーテル、ポリカーボネート、ポリアセタール、ポリブチレンテレフタラート、ポリフェニレンサルファイド、フッ素樹脂、ウレタン樹脂などの樹脂類があげられるが、これらに限定されるものではなく、陶器や木材であってもよい。陶器を用いる場合は、成型時に磁石を埋設できるよう孔を設け、焼結後に耐熱性樹脂でコーティングすることが好ましく、木材を用いる場合も同様に磁石を埋設できるよう孔を設け、耐熱性樹脂でコーティングすることで耐水性を付与することが好ましい。
【００２１】
実施の形態２
実施の形態２のおたましゃくしの自立保持具１ｂは、図２（ａ）、図２（ｂ）に示されるように、皿２の上面に磁石３が複数（図２（ａ）、図２（ｂ）では３個）埋設されており、おたましゃくし４が自立保持されている。
【００２２】
磁石３が皿２に埋設されていることにより、使用後の洗浄が容易である。
【００２３】
実施の形態３
本考案のおたましゃくしの自立保持具１ａ〜１ｆには、１個または複数個の突起５を皿２の上面に突設することができる。１個または複数個の突起５を皿２の上面に突設することにより、突起５を介しておたましゃくし４を皿２上面と磁着し、安定に自立保持することができる。図３（ａ）は、自立保持具１ｃの皿２の中央上面に突起５が１個突設された例、図３（ｂ）は、自立保持具１ｄの皿２の上面に突起５を３個突設された例である。自立保持具１ｄのように、３個の突起５が皿２の上面で三角形の頂点を構成する位置に突設されている場合、より安定におたましゃくし４を自立保持することができる。なお、磁石３は皿２と同素材もしくは耐熱性を有する別素材でコーティングすることで、磁石３をサビから守ることができる。コーティングの目安としては、厚さ約０．１ｍｍもあれば充分であり、耐熱性素材として、前記と同様の素材があげられる。
【００２４】
実施の形態４
また、おたましゃくし４を皿２に磁着させるとき、磁着状態におけるおたましゃくし４は、柄４ｂが皿２の設置面に対して垂直ではない。図４（ａ）に示されるように、皿２の底部一端（おたましゃくし４の柄４ｂ側）を支点Ｆとして、柄４ｂ側に働く時計回りの力のモーメントＦ１が、碗部４ａ側に働く反時計回りのモーメントＦ２より大きいとき、碗部４ａが磁着した皿２ごと転倒する可能性がある。図４（ｂ）に示されるように、実施の形態４のおたましゃくしの自立保持具１ｅは、転倒を防止するために底部に保持部６が設けられている。前記保持部６としては、粘着シート７や吸盤があげられる。保持部６を用いておたましゃくしの自立保持具１ｅを調理台等の所望の場所に設置することで、おたましゃくし４が転倒することなく自立させることができる。
【００２５】
また、本考案のおたましゃくしの自立保持具１ａ〜１ｄ内部に、錘として比重の大きな金属塊を埋設させた場合、保持部６を設けることなく皿２に充分な重量を付与することができ、おたましゃくし４が皿２ごと転倒することなく磁着させることが可能である。また、比重の大きな金属塊の代わりに、皿２に設けられた磁石３の総重量を増やした場合も同様の効果が得られる。
【００２６】
以上のように、本実施の形態のおたましゃくしの自立保持具１ａ〜１ｆは、磁性金属からなるおたましゃくし４の碗部４ａの下面を磁着保持するために、皿２の中央上面に少なくとも１つの磁石３が埋設された皿２からなることを特徴とし、これにより、磁性金属からなるおたましゃくし４の碗部４ａの下面を磁着し、自立させることが可能なおたましゃくしの自立保持具を提供することができる。
【図面の簡単な説明】
【００２７】
【図１（ａ）】本考案における実施の形態１のおたましゃくしの自立保持具におたましゃくしを磁着させた状態を説明するための斜視図である。
【図１（ｂ）】本考案における実施の形態１のおたましゃくしの自立保持具の側面図である。
【図２（ａ）】本考案における実施の形態２のおたましゃくしの自立保持具におたましゃくしを磁着させた状態を説明するための斜視図である。
【図２（ｂ）】本考案における実施の形態２のおたましゃくしの自立保持具の側面図である。
【図３】（ａ）〜（ｂ）は、本考案における実施の形態３のおたましゃくしの自立保持具の斜視図である。
【図４（ａ）】本考案における自立保持具１ａにおたましゃくし４を磁着させた状態の力のモーメントを説明するための側面図である。
【図４（ｂ）】本考案における実施の形態４のおたましゃくしの自立保持具の側面図である。
【符号の説明】
【００２８】
１ａ〜１ｆ  おたましゃくしの自立保持具
２  皿
３  磁石
４  おたましゃくし
４ａ  碗部
４ｂ  柄
５  突起
６  保持部
７  粘着シート
Ｆ  支点
Ｆ１  時計回りの力のモーメント
Ｆ２  反時計回りの力のモーメント
【図１（ａ）】
0003135168.tif 000003
【図１（ｂ）】
0003135168.tif 000004
【図２（ａ）】
0003135168.tif 000005
【図２（ｂ）】
0003135168.tif 000006
【図３】
0003135168.tif 000007
【図４（ａ）】
0003135168.tif 000008
【図４（ｂ）】
0003135168.tif 000009